(57)【要約】【課題】電子機器の小型化を可能にすると共に、生産効率を向上させた情報記憶媒体の収容構造、及び電子機器を提供することを目的とする。【解決手段】デジタルカメラ１０の収容部１８に収容されたＩＣカード１６と基板２０を電気的に接続させる接続端子２２が内部に配設されている。この接続端子２２は、リアカバー１４に設けられた保持部５０の孔部５２に挿通されることによって保持され、弾性部材２４によって基板２０のパターンの電極端子４２に対して圧接されると共に、ＩＣカード１６が挿入される孔部４６に触子部２２Ｃが突出されている。すなわち、基板２０に対する半田付け不要で接続端子２２を配設可能としたため、半田付け不良等による生産効率の低下や半田付けすることによって基板の電極端子４２と接続端子２２の接続に要するスペースが大型化することを回避でき、基板２０、すなわちデジタルカメラの小型化を図ることができる。【選択図】　図２
2004147085.tif 000002
【特許請求の範囲】
【請求項１】
電子機器との間で情報が授受される情報記憶媒体を機器本体内に収容する情報記憶媒体の収容構造において、
前記機器本体に設けられ、前記情報記憶媒体を機器本体内に対して挿入する開口部が形成された外装と、
前記外装の内側に設けられ前記開口部と連通した孔部を備え、前記孔部に挿入された前記情報記憶媒体を収容可能な収容部と、
前記機器本体内に配設され、パターンが配線された基板と、
前記パターンに接続される本体部と、この本体部から前記収容部の孔部内へ突出され前記情報記憶媒体が当該収容部に収容されると情報記憶媒体の端子部に圧接する触子部と、を備える接続端子と、
前記機器本体内に配設され、前記本体部を前記パターンに圧接させる弾性部材と、
を備えることを特徴とする情報記憶媒体の収容構造。
【請求項２】
前記接続端子は、前記外装に保持されることを特徴とする請求項１記載の情報記憶媒体の収容構造。
【請求項３】
前記接続端子は、前記触子部が弾性変形して前記端子部に圧接する板バネ部材とされていることを特徴とする請求項１または２記載の情報記憶媒体の収容構造。
【請求項４】
請求項１〜請求項３のいずれか１項記載の情報記憶媒体の収容構造を備えた電子機器。
【発明の詳細な説明】
【０００１】
【発明の属する技術分野】
本発明は、電子機器との間で情報が授受される情報記憶媒体を機器本体内に収容する情報記憶媒体の収容構造、及び電子機器に関する。
【０００２】
【従来の技術】
電子手帳等の携帯情報端末やノート型パソコン、あるいはデジタルカメラ等の電子機器においては、ＩＣカード等のパッケージ化された情報記憶媒体を機器本体内に挿脱可能に収容して、相互に情報（データ）のやり取りを行う機種がある。
【０００３】
例えば、デジタルカメラの場合には、外装に挿入口が設けられ、そこからＩＣカードをカメラ本体内部に挿入する構成とされている。
【０００４】
カメラ本体内部には、ＩＣカード収容部が設けられており、ＩＣカードがＩＣカード収容部に収容されることによって、基板に取り付けられた接続端子がＩＣカードに圧接する。この結果、ＩＣカードとカメラ本体が電気的に接続され、ＩＣカードとカメラ本体で情報を授受が可能となる構成とされている。
【０００５】
また、デジタルカメラでは、外装（リアカバー）にＩＣカードを収容する凹部を形成することによってデジタルカメラを小型化を図ったものが提案されている（特願２００１−１１３７８０、以下、従来例という）。
【０００６】
【発明が解決しようとする課題】
上記従来例のように構成するとデジタルカメラの小型化を可能とすることが可能となるが、基板に接続端子を半田付けする工程が増加し、半田不良の発生する可能性が増加すると共に、基板上において半田不良としないために必要とされるスペース（基板の大きさ）が増加してしまうという不都合があった。
【０００７】
本発明は上記事実を考慮して、電子機器の薄型化、小型化を可能にするとともに、生産効率を向上させた情報記憶媒体の収容構造、及び電子機器を提供することを課題とする。
【０００８】
【課題を解決するための手段】
請求項１に記載の発明は、電子機器との間で情報が授受される情報記憶媒体を機器本体内に収容する情報記憶媒体の収容構造において、前記機器本体に設けられ、前記情報記憶媒体を機器本体内に対して挿入する開口部が形成された外装と、前記外装の内側に設けられ前記開口部と連通した孔部を備え、前記孔部に挿入された前記情報記憶媒体を収容可能な収容部と、前記機器本体内に配設され、パターンが配線された基板と、前記パターンに接続される本体部と、この本体部から前記収容部の孔部内へ突出され前記情報記憶媒体が当該収容部に収容されると情報記憶媒体の端子部に圧接する触子部と、を備える接続端子と、前記機器本体内に配設され、前記本体部を前記パターンに圧接させる弾性部材と、を備えることを特徴とする。
【０００９】
請求項１記載の発明の作用について説明する。
【００１０】
本発明では、機器本体の外装に形成された開口部に情報記憶媒体が挿入されると、情報記憶媒体は開口部と連通して外装の内側に形成された収容部の孔部に収容される。この際、機器本体内部に配設された接続端子の触子部は収容部の孔部内へ突出しており、情報記憶媒体が収容部の孔部に収容されると情報記憶媒体の端子部と圧接する。一方、この接続端子の本体部は、機器本体内部に配設された弾性部材によって基板のパターンに圧接されている。この結果、情報記憶媒体は基板と電気的に導通し、電子機器との間での情報の授受が可能となる。
【００１１】
このように、基板に対して接続端子の本体部を弾性部材によって圧接しているため、接続端子を基板に半田付けする工程が不要となって半田付け不良による製品の歩留まりの低下を防止できる。また、接続端子の本体部を基板のパターンに対して圧接させる構成としたため、半田付けする場合と比較してパターンと接続するために必要な基板面積を減少させることができ、基板の小型化を達成することができる。したがって、電子機器の薄型化及び小型化が可能になる。
【００１２】
請求項２に記載の発明は、請求項１記載の情報記憶媒体の収容構造において、前記接続端子は、前記外装に保持されることを特徴とする。
【００１３】
請求項２記載の発明の発明の作用について説明する。
【００１４】
外装に接続端子が保持されるため、機器本体内部において接続端子の位置決めが容易になり、弾性部材の圧接作用によって基板上の所定位置に接続端子を確実に位置決めすることができる。
【００１５】
請求項３に記載の発明は、請求項１または２記載の情報記憶媒体の収容構造において、前記接続端子は、前記触子部が弾性変形して前記端子部に圧接する板バネ部材とされていることを特徴とする。
【００１６】
請求項３に記載の発明の作用について説明する。
【００１７】
本発明では、外装の開口部から挿入された情報記憶媒体が凹部に収容されると、板バネ部材の触子部が弾性変形して情報記憶媒体の端子部に圧接する。このような板バネ部材を接続端子に用いることで、端子部との接続構造を安価且つ簡単に構成することができる。
【００１８】
なお、請求項４に記載の発明では、請求項１〜請求項３の何れか１項記載の情報記憶媒体の収容構造を電子機器に適用することによって、電子機器の生産効率の向上と小型化を達成できる。
【００１９】
【発明の実施の形態】
以下、図面を参照して本発明の一実施形態について図１〜図５を参照して説明する。
【００２０】
デジタルカメラ１０は、図１または図３に示すように、外装を構成するフロントカバー１２、リアカバー１４と、リアカバー１４の内側に形成され後述するＩＣカード１６が収容される収容部１８と、外装の内部に配設されパターンが形成された基板２０と、基板２０と収容部１８に収容されたＩＣカード１６を電気的に接続させる接続端子２２と、接続端子２２を基板２０に対して圧接させる弾性部材２４とから基本的に構成される。
【００２１】
フロントカバー１２は、図２および図３に示すように、外部から内部に挿通する孔部３２が形成された一対のボス３０を備える。一方、リアカバー１４は、ボス３０に対応する位置に、ネジ孔３４が形成された一対のボス３６を備える。したがって、外部から孔部３２を介してネジ孔３４にスクリュー３８を螺入することによって、フロントカバー１２とリアカバー１４を一体化することができる。
【００２２】
基板２０は、電子部品４０が実装され、５本の接続端子２２に電気的接続させるためのパターンに形成された５個の電極端子４２が所定間隔をおいて形成されている。また、基板２０にはスクリュー３８挿通用の孔部４４が形成されている。したがって、ボス３０とボス３２の間に基板２０を挟んでスクリュー３８を孔部３２から基板２０の孔部４４を挿通しネジ孔３４に螺入することによってデジタルカメラ１０の内部に基板２０が固定される構成である（図２参照）。
【００２３】
リアカバー１４の内側には、ＩＣカード１６を収容する収容部１８が形成されている。収容部１８は、リアカバー１４の側面１４Ａに対して開口部４６Ａとして開口している略矩形状の孔部４６を有している。孔部４６は、ＩＣカード１６の外形とほぼ同じ寸法とされている。
【００２４】
収容部１８において孔部４６を構成する底面１８Ａには、接続端子２２用の逃げ孔４８が形成されている。
【００２５】
また、収容部１８の底面１８Ａの逃げ孔４８よりも奥側（図２、矢印Ｘ１方向）には、接続端子２２を保持するための保持部５０が形成されている。保持部５０は、接続端子２２を挿通させて保持するための孔部５２（図４参照）が形成されている。
【００２６】
一方、接続端子２２は、基板２０のパターンに形成された電極端子４２に対して当接される本体部２２Ａと、孔部５２内に挿通されて保持部５０に保持される直線部２２Ｂと、ＩＣカード１６の電極端子５４に接触させるために先端において湾曲した凸形状とされ、直線部２２Ｂに対して板バネとして作用する触子部２２Ｃとから構成される。接続端子２２は、直線部２２Ｂが保持部５０の孔部５２に挿通して保持されることによって、触子部２２Ｃが収容部１８の逃げ孔４８から孔部４６内に突出して配置される（図２参照）。
【００２７】
さらに、リアカバー１４には、孔部４６と略同様の幅を有する矩形状の凹部４９が形成されており、内部に矩形状の弾性部材２４が収容される構成とされている。したがって、スクリュー３８によってフロントカバー１２とリアカバー１４が一体化された場合に、接続端子２２の本体部２２Ａに圧接して、本体部２２Ａを基板２０の電極端子４２に圧接させるものである。
【００２８】
なお、デジタルカメラ１０の収容部１８に収容されるＩＣカード１６は、裏面に５本の電極端子５４が形成されているものである。
【００２９】
このように構成されるデジタルカメラ１０の作用について説明する。
【００３０】
先ず、デジタルカメラ１０にＩＣカード１６を収納する場合は、ＩＣカード１６の電極端子５４側をフロントカバー１２側向きにしてカード挿入口４６Ａからカメラ本体内へと挿入する。このとき、ＩＣカード１６は、側面（図中の上下端面）が収容部１８の上壁面及び下壁面に摺接して案内されるため、ほぼ真直ぐ挿入されていく。ＩＣカード１６の先端が収容部１８の奥の壁面に突き当てることによって挿入が規制され、ＩＣカード１６は収容部１８内に完全に収容される。
【００３１】
この際、ＩＣカード１６が孔部４６内に突出した接続端子２２の触子部２２Ｃを弾性変形させ、逃げ孔４８内に押し下げる。すなわち、図４に示すように、ＩＣカード１６の各電極端子５４に、対応する各接続端子２２の触子部２２Ｃが弾性変形して圧接する。これにより、ＩＣカード１６とデジタルカメラ１０が電気的に接続され、情報の授受を相互に行うことができるようになる。
【００３２】
なお、カメラ本体内からＩＣカード１６を取り出す場合は、ボタン６０を押圧することにより、図示しないリンク機構によって図示しないスライドピンがスライドし、ＩＣカード１６を排出方向に押し出す。これにより、カード挿入口４６Ａから突出したカード後端部を摘んで、ＩＣカード１６をカメラ本体内から簡単に取り出せるようになる。
【００３３】
また、本実施形態に係るデジタルカメラ１０のＩＣカード収容構造では、接続端子２２を保持部５０の孔部５２に挿通させることによって接続端子２２を保持させ、弾性部材２４によって本体部２２Ａを基板２０の電極端子４２に接続させている。したがって、接続端子２２をデジタルカメラ１０内で保持させるのに基板２０に対する半田付け工程が不要となり、半田付け不良などを回避でき、生産効率を向上させることができる。
【００３４】
さらに、基板２０に対して弾性部材２４によって圧接することによって、接続端子２２と基板２０の電気的接続を行なっているため、半田付けで電気接続する場合と比較して基板２０上で必要なスペースを減少させることができる。すなわち、基板２０（デジタルカメラ１０）をコンパクト化することができる。
【００３５】
また、基板２０側の接続端子２２には、触子部２２Ｃが弾性変形する板バネ部材を用いたことで、ＩＣカード１６の電極端子５４に電気的に接続させる接続構造が安価且つ簡単に構成されている。
【００３６】
ところで、本実施形態では、接続端子２２を保持する保持部５０を収容部１８と一体的に構成したが、別体とすることもできる。すなわち、保持部５０を収容部１８に対して脱着自在に構成し、接続端子２２を配設した後に保持部５０を取り付けることによって接続端子２２を保持する構成とすることもできる。このように構成すれば、接続端子２２の配設が一層容易になる。
【００３７】
なお、本発明は、上述したデジタルカメラ及びＩＣカードに限らず、ノート型パソコン等の電子機器と他の情報記憶媒体との収容構造に適用することもできる。
【００３８】
【発明の効果】
本発明の情報記憶媒体の収容構造、及び電子機器は上記構成としたので、電子機器の製造における半田付け工程を減少することによって生産効率を向上させると共に小型化も達成できる。
【図面の簡単な説明】
【図１】本発明の一実施形態に係るデジタルカメラを正面から見た斜視図である。
【図２】本発明の一実施形態に係るＩＣカードの収容構造にＩＣカードが収容されていない状態の断面図である。
【図３】本発明の一実施形態に係るＩＣカードの収容構造を示した分解斜視図である。
【図４】本発明の一実施形態に係るＩＣカードの収容構造を示す要部斜視図である。
【図５】本発明の一実施形態に係るＩＣカードの収容構造にＩＣカードが収容された状態の断面図である。
【符号の説明】
１０　　　　デジタルカメラ（電子機器）
１２　　　　リアカバー（外装）
１４　　　　フロントカバー（外装）
１８　　　　収容部
２０　　　　基板
２２　　　　電極端子（電極端子／板バネ部材）
２２Ａ　　　本体部
２２Ｃ　　　触子部
２４　　　　弾性部材
１６　　　　ＩＣカード（情報記憶媒体）
４６Ａ　　　カード挿入口（開口部）
５４　　　　電極端子（端子部）
【図１】
2004147085.tif 000003
【図２】
2004147085.tif 000004
【図３】
2004147085.tif 000005
【図４】
2004147085.tif 000006
【図５】
2004147085.tif 000007